(57)【特許請求の範囲】
【請求項１】
被認証者を認証する認証システムであって、
前記被認証者が通過する経路に設けられ、前記被認証者を撮像する第１撮像部と、
前記第１撮像部により撮像された前記被認証者の画像により、前記被認証者の第１認証を行う第１認証部と、
前記被認証者が通過する経路において、前記第１撮像部が設けられた位置より後に前記被認証者が通過する位置に設けられ、前記被認証者を撮像する第２撮像部と、
前記第１撮像部により撮像された前記被認証者の画像と、前記第２撮像部により撮像された前記被認証者の画像とを照合することにより、前記被認証者を認証する第２認証部と
を備え、
前記第１撮像部は、前記第１認証部が前記第１認証に用いる認証画像と、前記認証画像より広い領域で前記被認証者を撮像した第１比較画像とを撮像し、
前記第２撮像部は、前記第１比較画像と略同一の領域で前記被認証者を撮像した第２比較画像を撮像し、
前記第２認証部は、前記第１比較画像と前記第２比較画像とを照合することにより、前記被認証者を認証する
ことを特徴とする認証システム。
【請求項２】
前記被認証者が通過する経路に設けられた第１ゲートと、
前記経路において、前記第１ゲートより後に前記被認証者が通過する位置に設けられた第２ゲートと
を更に備え、
前記被認証者は前記第１ゲートの通過を許可された者であると認証した場合に、前記第１認証部は前記第１ゲートを開放し、
前記被認証者は前記第２ゲートの通過を許可された者であると認証した場合に、前記第２認証部は前記第２ゲートを開放する請求項１に記載の認証システム。
【請求項３】
前記第１認証部は、前記被認証者のＩＤカードに格納されている前記被認証者の画像と、前記第１撮像部により撮像された前記被認証者の前記認証画像とを照合することにより、前記被認証者を認証する請求項１または２に記載の認証システム。
【請求項４】
前記被認証者の画像を予め格納している画像格納部を更に備え、
前記第１認証部は、前記画像格納部に格納されている前記被認証者の画像と、前記第１撮像部により撮像された前記被認証者の前記認証画像とを照合することにより、前記被認証者を認証する請求項１または２に記載の認証システム。
【請求項５】
前記第１認証部は、前記認証画像における前記被認証者の顔の画像に基づいて、前記第１認証を行い、
前記第２認証部は、前記第１比較画像及び前記第２比較画像における前記被認証者の顔と服の画像に基づいて、前記被認証者を認証する
請求項１から４のいずれか一項に記載の認証システム。
【請求項６】
前記第２認証部は、前記第１撮像部が撮像した画像に基づいて、前記第１撮像部が前記被認証者を撮像したときの照明条件を算出し、算出した前記照明条件に応じて、前記第２撮像部が前記被認証者を撮像するときの照明条件を制御する
請求項１から５のいずれか一項に記載の認証システム。
【請求項７】
前記第２撮像部は、前記被認証者に対して光を射出するフラッシュ部を有し、
前記第２認証部は、前記第１撮像部が撮像した前記被認証者の画像の明度を検出し、検出した画像の明度に基づいて、前記フラッシュ部が射出する光の強度を制御する
請求項６に記載の認証システム。
【請求項８】
被認証者を認証する認証システムを機能させるプログラムであって、
前記認証システムを、
請求項１から７のいずれか一項に記載の認証システムとして機能させるプログラム。
【請求項９】
被認証者を認証する認証システムが設けられた建築物であって、
前記被認証者が通過する経路に設けられた第１ゲートと、
前記経路に設けられ、前記被認証者を撮像する第１撮像部と、
前記第１撮像部により撮像された前記被認証者の画像により、前記被認証者の第１認証を行う第１認証部と、
前記被認証者が通過する経路において、前記第１ゲートより後に前記被認証者が通過する位置に設けられた第２ゲートと、
前記経路において、前記第１撮像部が設けられた位置より後に前記被認証者が通過する位置に設けられ、前記被認証者を撮像する第２撮像部と、
前記第１撮像部により撮像された前記被認証者の画像と、前記第２撮像部により撮像された前記被認証者の画像とを照合することにより、前記被認証者を認証する第２認証部と
を備え、
前記第１撮像部は、前記第１認証部が前記第１認証に用いる認証画像と、前記認証画像より広い領域で前記被認証者を撮像した第１比較画像とを撮像し、
前記第２撮像部は、前記第１比較画像と略同一の領域で前記被認証者を撮像した第２比較画像を撮像し、
前記第２認証部は、前記第１比較画像と前記第２比較画像とを照合することにより、前記被認証者を認証し、
前記被認証者は前記第１ゲートの通過を許可された者であると認証した場合に、前記第１認証部は前記第１ゲートを開放し、
前記被認証者は前記第２ゲートの通過を許可された者であると認証した場合に、前記第２認証部は前記第２ゲートを開放する建築物。
【発明の詳細な説明】
【技術分野】
【０００１】
本発明は、認証システム、プログラム、及び建築物に関する。特に、本発明は、被認証者を認証する認証システムに関する。
【背景技術】
【０００２】
従来、人物を認証する手段として、人物の画像を撮像して、予め登録された人物の画像と照合することにより認証を行うシステムが知られている。例えば居室等の入口において入場者を撮像し、入場者が登録されているか否かを認証して入場の可否を決定する場合がある。
【０００３】
関連する特許文献等は、現在認識していないためその記載を省略する。
【発明の開示】
【発明が解決しようとする課題】
【０００４】
例えば頻繁に出入りする居室等の入口等においては、認証を、効率よく行うことが望まれている。しかし、人物の画像が登録されてからの時間が経っている場合、人物の顔等は、例えば加齢等により、経時変化する場合がある。そのため、従来、認証の精度を高めようとすると、経時変化を考慮した認証が必要となり、認証に必要な時間が増大し、認証が効率よく行えない場合があった。
【０００５】
そこで本発明は、上記の課題を解決することができる認証システム、プログラム、及び建築物を提供することを目的とする。この目的は特許請求の範囲における独立項に記載の特徴の組み合わせにより達成される。また従属項は本発明の更なる有利な具体例を規定する。
【課題を解決するための手段】
【０００６】
上記課題を解決するために、本発明の第１の形態においては、被認証者を認証する認証システムであって、被認証者が通過する経路に設けられ、被認証者を撮像する第１撮像部と、第１撮像部により撮像される被認証者の第１認証を行う第１認証部と、被認証者が通過する経路において、第１撮像部が設けられた位置より後に被認証者が通過する位置に設けられ、被認証者を撮像する第２撮像部と、第１撮像部により撮像された被認証者の画像と、第２撮像部により撮像された被認証者の画像とを照合することにより、被認証者を認証する第２認証部とを備える。
【０００７】
また、被認証者が通過する経路に設けられた第１ゲートと、当該経路において、第１ゲートより後に被認証者が通過する位置に設けられた第２ゲートとを更に備え、被認証者は第１ゲートの通過を許可された者であると認証した場合に、第１認証部は第１ゲートを開放し、被認証者は第２ゲートの通過を許可された者であると認証した場合に、第２認証部は第２ゲートを開放してもよい。
【０００８】
また、第１認証部は、被認証者のＩＤカードに格納されている被認証者の画像と、第１撮像部により撮像された被認証者の画像とを照合することにより、被認証者を認証してもよい。
【０００９】
また、被認証者の画像を予め格納している画像格納部を更に備え、第１認証部は、画像格納部に格納されている被認証者の画像と、第１撮像部により撮像された被認証者の画像とを照合することにより、被認証者を認証してもよい。
【００１０】
第１撮像部は、第１認証部が第１認証に用いる認証画像と、認証画像より広い領域で被認証者を撮像した第１比較画像とを撮像し、第２撮像部は、第１比較画像と略同一の領域で被認証者を撮像した第２比較画像を撮像し、第２認証部は、第１比較画像と第２比較画像とを照合することにより、被認証者を認証してよい。
【００１１】
第１認証部は、認証画像における被認証者の顔の画像に基づいて、第１認証を行い、第２認証部は、第１比較画像及び第２比較画像における被認証者の顔と服の画像に基づいて、被認証者を認証してよい。
【００１２】
第２認証部は、第１撮像部が撮像した画像に基づいて、第１撮像部が被認証者を撮像したときの照明条件を算出し、算出した照明条件に応じて、第２撮像部が被認証者を撮像するときの照明条件を制御してよい。
【００１３】
第２撮像部は、被認証者に対して光を射出するフラッシュ部を有し、第２認証部は、第１撮像部が撮像した被認証者の画像の明度を検出し、検出した画像の明度に基づいて、フラッシュ部が射出する光の強度を制御してよい。
【００１４】
本発明の第２の形態においては、被認証者を認証する認証システムを機能させるプログラムであって、認証システムを、被認証者が通過する経路に設けられ、被認証者の第１認証を行う第１認証部と、第１認証部に認証される被認証者を撮像する第１撮像部と、被認証者が通過する経路において、第１認証部が設けられた位置より後に被認証者が通過する位置に設けられ、被認証者を撮像する第２撮像部と、第１撮像部により撮像された被認証者の画像と、第２撮像部により撮像された被認証者の画像とを照合することにより、被認証者を認証する第２認証部として機能させる。
【００１５】
本発明の第３の形態においては、被認証者を認証する認証システムが設けられた建築物であって、被認証者が通過する経路に設けられた第１ゲートと、当該経路に設けられ、被認証者を撮像する第１撮像部と、第１撮像部により撮像される被認証者の第１認証を行う第１認証部と、被認証者が通過する経路において、第１ゲートより後に被認証者が通過する位置に設けられた第２ゲートと、当該経路において、第１撮像部が設けられた位置より後に被認証者が通過する位置に設けられ、被認証者を撮像する第２撮像部と、第１撮像部により撮像された被認証者の画像と、第２撮像部により撮像された被認証者の画像とを照合することにより、被認証者を認証する第２認証部とを備え、被認証者は第１ゲートの通過を許可された者であると認証した場合に、第１認証部は第１ゲートを開放し、被認証者は第２ゲートの通過を許可された者であると認証した場合に、第２認証部は第２ゲートを開放する。
【００１６】
なお、上記の発明の概要は、本発明の必要な特徴の全てを列挙したものではなく、これらの特徴群のサブコンビネーションもまた、発明となりうる。
【発明を実施するための最良の形態】
【００１７】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【００１８】
図１は、本発明の一実施形態に係る認証システム１００の概要を説明する図である。認証システム１００は、正面玄関及び複数の居室Ａ〜Ｄを有する建築物１１０に設けられる。本例の認証システム１００は、居室Ａ〜Ｄへ入室するための認証を、効率よく行うことを目的とする。居室Ａ〜Ｄへ入室する被認証者は、最初に、正面玄関に設けられた入館管理部１０２において、認証を受ける。入館管理部１０２は、被認証者が正面玄関のドア１０６の通過を許可された者であるか否かを認証する。尚、ドア１０６は、被認証者が通過する経路に設けられた第１ゲートの一例である。
【００１９】
本例において、被認証者は、本人の顔画像を格納しているＩＤカードを携行しており、入館管理部１０２において、ＩＤカードを用いた認証を受ける。入館管理部１０２は、例えば、カメラにより被認証者の顔画像を撮像する。そして、入館管理部１０２は、撮像した画像を、被認証者のＩＤカードに格納されている顔画像と照合することにより、被認証者を認証する。被認証者が認証された場合、入館管理部１０２は、被認証者に正面玄関の通過を許可するとともに、撮像した被認証者の顔画像を、各居室Ａ〜Ｄの入口に設けられた入室管理部１０４ａ〜ｄに送信する。
【００２０】
入館管理部１０２において認証された被認証者が、正面玄関から各居室Ａ〜Ｄに至る経路であるロビー及び廊下を通過して、いずれかの居室Ａ〜Ｄの入口に到達すると、被認証者は、各居室Ａ〜Ｄの入室管理部１０４ａ〜ｄにおいて、認証を受ける。入室管理部１０４ａ〜ｄは、被認証者が各居室Ａ〜Ｄのドア１０８ａ〜ｄの通過を許可された者であるか否かを認証する。尚、ドア１０８ａ〜ｄは、第２ゲートの一例であり、被認証者が通過する経路において、ドア１０６より後に被認証者が通過する位置に設けられる。
【００２１】
本例において、入室管理部１０４ａ〜ｄは、カメラにより被認証者の顔画像を撮像する。そして、入室管理部１０４ａ〜ｄは、撮像した顔画像を、入館管理部１０２から受け取った被認証者の顔画像と照合することにより、被認証者を認証する。そして、被認証者が認証された場合、入室管理部１０４ａ〜ｄは、被認証者に、各居室Ａ〜Ｄへの入室を許可する。
【００２２】
ここで、認証時に撮像される被認証者の顔画像は、例えば太ったり痩せたりすることによる顔の経時変化や、化粧の雰囲気等により、ＩＤカードに格納されている顔画像との差が大きくなっている場合がある。そのため、各入室管理部１０４ａ〜ｄが、撮像した画像をＩＤカード等に格納されている画像と照合するとすれば、高い精度で認証を行うためには、認証に要する時間が増大する場合がある。この場合、各居室Ａ〜Ｄへの入室時の認証の効率が低下することにより、例えば各居室Ａ〜Ｄ間の移動の円滑性が損なわれる場合がある。
【００２３】
しかし、本例においては、正面玄関において撮像された顔画像を用いて各居室Ａ〜Ｄへの入室時の認証を行うことにより、顔画像の経時変化の影響を受けることなく、効率よく認証を行うことができる。そのため、本例によれば、認証システム１００は、各居室Ａ〜Ｄへ入室する被認証者を、効率よく認証することができる。また、本例においては、入館時に正面玄関において、ＩＤカードに予め格納されている顔画像を用いた認証を行うことにより、例えば登録されていない不正な人物の入館を防ぐことができる。そのため、本例によれば、安全かつ効率のよい認証システム１００を提供することができる。
【００２４】
図２は、認証システム１００の詳細な構成の一例を示す。本例において、入館管理部１０２は、開錠操作部２０８、カメラ２０２、カードリーダ２０４、及び入館認証部２０６を有する。入室管理部１０４ａ〜ｄのそれぞれは、各居室Ａ〜Ｄ（図１参照）のそれぞれに対応して設けられており、開錠操作部３０６、カメラ３０２、及び入室認証部３０４をそれぞれ有する。
【００２５】
開錠操作部２０８は、入館認証部２０６により被認証者が認証された場合に、正面玄関におけるドア１０６の鍵を開錠する。カメラ２０２は、被認証者を撮像する第１撮像部の一例である。カメラ２０２は、正面玄関に設けられており、入館しようとする被認証者の顔画像を撮像して、入館認証部２０６に供給する。カードリーダ２０４は、被認証者の携行するＩＤカードから、そのＩＤカードに格納されている被認証者の顔画像を取得して、入館認証部２０６に供給する。
【００２６】
入館認証部２０６は、第１認証部の一例であり、被認証者のＩＤカードに格納されている被認証者の顔画像と、カメラ２０２により撮像された被認証者の顔画像とを照合することにより、被認証者を認証する。これにより、入館認証部２０６は、カメラ２０２により撮像される被認証者を認証する。
【００２７】
そして、これらの顔画像が所定の一致度を超えて一致することにより、被認証者が正当な入館者であると認証された場合、入館認証部２０６は、開錠操作部２０８に、正面玄関の鍵を開錠させる。これにより、被認証者はドア１０６の通過を許可された者であると認証した場合に、入館認証部２０６は、ドア１０６を開放する。そして、入館認証部２０６は、カメラ２０２により撮像された被認証者の顔画像を、各入室管理部１０４ａ〜ｅに送信する。
【００２８】
入室管理部１０４における開錠操作部３０６は、入室認証部３０４により被認証者が認証された場合に、対応する居室の入り口におけるドア１０８の鍵を開錠する。カメラ２０２は、対応する居室の入口に設けられており、入室しようとする被認証者の顔画像を撮像して、入室認証部３０４に供給する。カメラ３０２は、被認証者を撮像する第２撮像部の一例であり、被認証者が通過する経路において、カメラ２０２が設けられた位置より後に被認証者が通過する位置に設けられる。
【００２９】
入室認証部３０４は、被認証者を認証する第２認証部の一例であり、カメラ２０２により撮像された被認証者の顔画像を、入館認証部２０６から受け取ることにより、正面玄関においてカメラ２０２により撮像された被認証者の顔画像と、居室の入口においてカメラ３０２により撮像された被認証者の顔画像とを照合する。そして、これらの顔画像が所定の一致度を超えて一致することにより、被認証者が正当な入室者であると認証された場合、入室認証部３０４は、開錠操作部３０６に、各居室の鍵を開錠させる。これにより、被認証者はドア１０８ａ〜ｅの通過を許可された者であると認証した場合に、入室認証部３０４はドア１０８ａ〜ｅを開放する。本例によれば、各居室の入口において、被認証者を、効率よく認証できる。
【００３０】
また、カメラ２０２は、入館認証部２０６が第１認証に用いる認証画像と、当該認証画像より広い領域で被認証者を撮像した第１比較画像とを撮像してよい。またカメラ３０２は、第１比較画像と略同一の領域で被認証者を撮像した第２比較画像を撮像してよい。この場合、入室認証部３０４は、第１比較画像と第２比較画像とを照合することにより、被認証者を認証する。
【００３１】
例えば、入館認証部２０６が被認証者の虹彩パターンを認証に用い、入室認証部３０４が被認証者の顔の画像を認証に用いる場合、カメラ２０２は、認証画像として被認証者の虹彩パターンを撮像し、第１比較画像として被認証者の顔の画像を撮像する。またカメラ３０２は、被認証者の顔の画像を撮像する。そして、入館認証部２０６は、認証画像が予め与えられる虹彩パターンと一致する場合に、被認証者を認証し、入室認証部３０４は、第１比較画像と第２比較画像に撮像された顔の画像が一致した場合に、被認証者を認証する。このような動作により、入館認証部２０６において精緻な認証を行って不正な入館を防ぎ、且つ入室認証部３０４においては効率のよい認証を行うことができる。
【００３２】
また、他の例としては、入館認証部２０６は、認証画像における被認証者の顔の画像に基づいて第１認証を行い、入室認証部３０４は、第１比較画像及び第２比較画像における認証者の顔と服の画像に基づいて、被認証者を認証してもよい。この場合、カメラ２０２は、認証画像として被認証者の顔の画像を撮像し、第１比較画像として、認証画像より撮像倍率の小さい画像で被認証者の顔と服を含む画像を撮像する。またカメラ３０２は、第１比較画像と略同一の撮像倍率で、第１比較画像と略同一の被認証者の領域を、第２比較画像として撮像する。  
【００３３】
尚、入室認証部３０４は、カメラ２０２により撮像された顔画像と、カメラ３０２により撮像された顔画像とが所定の一致度を超えて一致し、かつその被認証者がその居室に対する入室許可者として予め登録されている場合に、被認証者が正当な入室者であると認証してもよい。入室管理部１０４は、例えば、被認証者のＩＤカードに格納されている情報に更に基づき、被認証者を認証してもよい。入室管理部１０４は、被認証者のＩＤカードに格納されている情報を、例えば入館管理部１０２から受け取ってよい。
【００３４】
また、館内に複数の人物が入館している場合、入室認証部３０４は、例えば、複数の人物に対応して、カメラ２０２により撮像された複数の顔画像を格納してよい。そして、格納している複数の顔画像のいずれかと、カメラ３０２により撮像された顔画像とが一致した場合に、入室認証部３０４は、開錠操作部３０６に、居室の鍵を開錠させてよい。また、カメラ３０２は、カメラ２０２が被認証者を撮像したときの照明条件を検出し、検出した照明条件に応じてフラッシュ光を照射してよい。
【００３５】
図３は、被認証者を撮像する第２撮像部３０１の構成の一例を示す図である。第２撮像部３０１は、図１において説明したそれぞれのドア１０８に設けられ、ドア１０８を通過する被認証者を撮像する。第２撮像部３０１は、前述したカメラ３０２と、フラッシュ部３０３とを有する。
【００３６】
フラッシュ部３０３は、複数の位置から被認証者に対して光を射出することができる。また、フラッシュ部３０３は、所望の強度の光を被認証者に対して射出する。入室認証部３０４は、フラッシュ部３０３が光を射出する位置、及び射出する光の強度を制御する。
【００３７】
前述したように、入室認証部３０４は、カメラ２０２が被認証者を撮像したときの照明条件を検出し、検出した照明条件に応じてフラッシュ部３０３が光を射出する位置、及び射出する光の強度を制御する。例えば、入室認証部３０４は、カメラ２０２が撮像した被認証者の画像の明度を検出し、検出した画像の明度に基づいて、フラッシュ部３０３が射出する光の強度を制御する。入室認証部３０４は、検出した画像の明度と略同一の明度の画像が撮像できるように、フラッシュ部３０３が射出する光の強度を制御してよい。
【００３８】
また、入室認証部３０４は、カメラ２０２が被認証者を撮像したときの照明光の向きを検出し、検出した照明光の向きと略同一の方向から被認証者に光を射出するように、フラッシュ部３０３が光を射出する位置を制御してもよい。例えば、入室認証部３０４は、カメラ２０２が撮像した被認証者の画像に基づいて照明光の向きを検出してよい。また、カメラ２０２が被認証者の画像を撮像したときの時刻に基づいて、照明光の向きを検出してもよい。カメラ２０２が被認証者の画像を撮像するときの照明光の向きは、太陽の位置によって定まるため、当該時刻に基づいて照明光の向きを容易に検出することができる。
【００３９】
カメラ２０２は屋外で被認証者を撮像するため、撮像する毎に異なる照明条件となる場合があるが、このような動作により、カメラ２０２とカメラ３０２とを略同一の照明条件において撮像させることができる。このため、入室認証部３０４において、精度よく被認証者の認証を行うことができる。
【００４０】
図４は、入館管理部１０２の動作の一例を示すフローチャートである。被認証者が正面玄関の前に来た場合、最初に、カードリーダ２０４は、被認証者により携行されたＩＤカードから、被認証者である入館者の顔画像を取得し（Ｓ１０２）、入館認証部２０６に供給する。そして、カメラ２０２は、入館者の顔画像を撮像して（Ｓ１０４）、入館認証部２０６に供給する。
【００４１】
尚、Ｓ１０６において、被認証者が正当な入館者であると認証されなかった場合、入館管理部１０２は、正面玄関の鍵を閉じたままで、動作を終了する。この場合、入館認証部２０６は、例えば警備会社の端末等に、不正な人物が入館しようとした旨を通知してもよい。
【００４２】
図５は、入室管理部１０４の動作の一例を示すフローチャートである。本例の入室管理部１０４においては、最初に、入室認証部３０４が、入館管理部１０２における入館認証部２０６から、カメラ２０２により撮像された入館者の顔画像を受信する（Ｓ２０２）。そして、被認証者である入室者が各居室の入口に来た場合、その居室のカメラ３０２は、入室者の顔画像を撮像して（Ｓ２０４）、入室認証部３０４に供給する。
【００４３】
そして、被認証者が正当な入室者であると入室認証部３０４により認証された場合（Ｓ２０６）、開錠操作部３０６は、居室の鍵を開錠する（Ｓ２０８）。以上により、入室管理部１０４は、認証動作を終了する。本例によれば、各居室に入室する被認証者を、適切に認証することができる。尚、Ｓ２０６において、被認証者が正当な入室者であると認証されなかった場合、入室管理部１０４は、居室の鍵を閉じたままで、動作を終了する。この場合、入室認証部３０４は、例えば警備会社の端末等に、不正な人物が入室しようとした旨を通知してもよい。
【００４４】
図６は、入館管理部１０２の構成の他の例を示す。本例の入館管理部１０２は、図２を用いて説明した入館管理部１０２におけるカードリーダ２０４に代えて、画像格納部２１０を有する。画像格納部２１０は、被認証者の顔画像を予め格納している。尚、図６において、図１から図５と同じ符号を付した構成は、図１から図５における構成と同一又は同様の機能を有するため、説明を省略する。
【００４５】
本例において、入館認証部２０６は、画像格納部２１０に格納されている被認証者の顔画像と、カメラ２０２により撮像された被認証者の画像とを照合することにより、被認証者を認証する。この場合も、予め登録されている正当な入館者であるか否かを判断することにより、入館認証部２０６は、被認証者を、適切に認証することができる。また、各居室に設けられた入室管理部１０４ａ〜ｄは、カメラ２０２により撮像された顔画像を受け取ることにより、各居室の入口での認証を、効率よく行うことができる。
【００４６】
図７は、認証システム１００を制御するコンピュータ５００の構成の一例を示す図である。本例において、コンピュータ５００は、認証システム１００を図１から図５、及び／又は図６において説明した認証システム１００として機能させるプログラムを格納する。また、コンピュータ５００は、認証システム１００における入館認証部２０６又は入室認証部３０４として機能してもよい。
【００４７】
コンピュータ５００は、ＣＰＵ７００と、ＲＯＭ７０２と、ＲＡＭ７０４と、通信インターフェース７０６と、ハードディスクドライブ７１０と、フレキシブルディスクドライブ７１２と、ＣＤ−ＲＯＭドライブ７１４とを備える。ＣＰＵ７００は、ＲＯＭ７０２、ＲＡＭ７０４、ハードディスクドライブ７１０、フレキシブルディスク７２０、及び／又はＣＤ−ＲＯＭ７２２に格納されたプログラムに基づいて動作する。
【００４８】
例えば、認証システム１００を機能させるプログラムは、ハードディスクドライブ７１０を画像格納部２１０として、ＣＰＵ７００を、入館認証部２０６、開錠操作部２０８、入室認証部３０４、及び／又は開錠操作部３０６として機能させてもよい。
【００４９】
通信インターフェース７０６は、例えばそれぞれのカメラ２０２、３０２と通信し、それぞれの状態等に関する情報、撮像した画像等を受信し、またそれぞれを制御する制御信号を送信する。格納装置の一例としてのハードディスクドライブ７１０、ＲＯＭ７０２、又はＲＡＭ７０４は、設定情報、及びＣＰＵ７００を動作させるためのプログラム等を格納する。また、当該プログラムは、フレキシブルディスク７２０、ＣＤ−ＲＯＭ７２２等の記録媒体に格納されていてもよい。
【００５０】
フレキシブルディスクドライブ７１２は、フレキシブルディスク７２０がプログラムを格納している場合、フレキシブルディスク７２０からプログラムを読み取りＣＰＵ７００に提供する。ＣＤ−ＲＯＭドライブ７１４は、ＣＤ−ＲＯＭ７２２がプログラムを格納している場合、ＣＤ−ＲＯＭ７２２からプログラムを読み取りＣＰＵ７００に提供する。
【００５１】
また、プログラムは記録媒体から直接ＲＡＭに読み出されて実行されても、一旦ハードディスクドライブ７１０にインストールされた後にＲＡＭ７０４に読み出されて実行されてもよい。更に、上記プログラムは単一の記録媒体に格納されても複数の記録媒体に格納されても良い。また記録媒体に格納されるプログラムは、オペレーティングシステムとの共同によってそれぞれの機能を提供してもよい。例えば、プログラムは、機能の一部または全部を行うことをオペレーティングシステムに依頼し、オペレーティングシステムからの応答に基づいて機能を提供するものであってもよい。
【００５２】
プログラムを格納する記録媒体としては、フレキシブルディスク、ＣＤ−ＲＯＭの他にも、ＤＶＤ、ＰＤ等の光学記録媒体、ＭＤ等の光磁気記録媒体、テープ媒体、磁気記録媒体、ＩＣカードやミニチュアーカードなどの半導体メモリー等を用いることができる。又、専用通信ネットワークやインターネットに接続されたサーバシステムに設けたハードディスクまたはＲＡＭ等の格納装置を記録媒体として使用してもよい。
【００５３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００５４】
【図１】本発明の一実施形態に係る認証システム１００の概要を説明する図である。
【図２】認証システム１００の詳細な構成の一例を示す図である。
【図３】被認証者を撮像する第２撮像部３０１の構成の一例を示す図である。
【図４】入館管理部１０２の動作の一例を示すフローチャートである。
【図５】入室管理部１０４の動作の一例を示すフローチャートである。
【図６】入館管理部１０２の構成の他の例を示す図である。
【図７】認証システム１００を制御するコンピュータ５００の構成の一例を示す図である。
【符号の説明】
【００５５】
１００・・・認証システム、１０２・・・入館管理部、１０４・・・入室管理部、１０６・・・ドア、１０８・・・ドア、１１０・・・建築物、２０２・・・カメラ、２０４・・・カードリーダ、２０６・・・入館認証部、２０８・・・開錠操作部、２１０・・・画像格納部、３０１・・・第２撮像部、３０２・・・カメラ、３０３・・・フラッシュ部、３０４・・・入室認証部、３０６・・・開錠操作部
【図１】
0004615272.tif 000002
【図２】
0004615272.tif 000003
【図３】
0004615272.tif 000004
【図４】
0004615272.tif 000005
【図５】
0004615272.tif 000006
【図６】
0004615272.tif 000007
【図７】
0004615272.tif 000008